(57)【要約】【課題】簡単に効果的な露光間ズーム撮影を行うことができる撮影装置を提供する。【解決手段】撮影モードを露光間ズーム撮影モードに設定すると、シャッタボタン２２の半押しで撮影準備が行われ、ズームボタン３２のズーム操作で撮影が行われる。これにより、露光開始と同時にズーミングが行われ、簡単に効果的な露光間ズーム撮影を行うことができる。【選択図】      図４
2007096455.tif 000002
【特許請求の範囲】
【請求項１】
ズーム操作手段によってズーム操作されるズームレンズによって画像を撮影する撮影装置において、
撮影モードを露光間ズーム撮影モードに設定するモード設定手段と、
前記ズーム操作手段による前記ズームレンズのズーム操作を検出するズーム操作検出手段と、
前記露光間ズーム撮影モードに設定されると、前記ズーム操作検出手段によるズーム操作の検出をトリガとして撮影を行う撮影制御手段と、
を備えたことを特徴とする撮影装置。
【請求項２】
撮影準備の指示を入力する撮影準備指示入力手段と、
前記撮影準備指示入力手段から入力される撮影準備の指示に応じて撮影準備を行う撮影準備制御手段と、
を備え、前記撮影制御手段は、前記露光間ズーム撮影モードに設定されると、前記撮影準備制御手段による撮影準備後、前記ズーム操作検出手段によるズーム操作の検出をトリガとして撮影を行うことを特徴とする請求項１に記載の撮影装置。
【請求項３】
前記ズームレンズをズーム駆動するズーム駆動手段と、
前記ズーム駆動手段の駆動を制御する駆動制御手段と、
を備え、前記駆動制御手段は、撮影前及び撮影中、前記ズーム操作手段によるズーム操作に応じて前記ズーム駆動手段の駆動を制御する一方、撮影が終了すると、前記ズーム駆動手段の駆動を強制的に停止することを特徴とする請求項１又は２に記載の撮影装置。
【請求項４】
前記撮影装置は、撮像素子によって画像を撮影する撮影装置であって、
表示手段と、
撮影前に前記撮像素子から得られた画像を前記表示手段に表示させる表示制御手段と、
を備えたことを特徴とする請求項１、２又は３に記載の撮影装置。
【請求項５】
前記撮影装置は、ＣＣＤイメージセンサによって画像を撮影する撮影装置であって、
前記ＣＣＤイメージセンサへの駆動電圧の印加を制御する駆動電圧制御手段を備え、該駆動電圧制御手段は、前記撮影準備制御手段による撮影準備後、読み出し開始までの間、前記ＣＣＤイメージセンサの垂直ＣＣＤに印加するプラス側電圧を所定量下げることを特徴とする請求項２に記載の撮影装置。
【発明の詳細な説明】
【技術分野】
【０００１】
本発明は撮影装置に係り、特にズームレンズを用いた露光間ズーム撮影が可能な撮影装置に関する。
【背景技術】
【０００２】
ズームレンズを用いた撮影手法の一つとして露光間ズームが知られている。露光間ズームは、露光中にズーミングして焦点距離を変化させる撮影方法であって、画像の中心部から周辺に向かって像が放射状に流れ、動感や特殊な効果を得ることができる。
【０００３】
従来、この露光間ズームは、撮影者による手動操作で行われていたが、近年、電動式のズームレンズが用いられるに至り、自動で露光間ズーム撮影を行う撮影装置も提案されている（たとえば、特許文献１参照）。
【特許文献１】特開平６−２０１９７１号公報
【発明の開示】
【発明が解決しようとする課題】
【０００４】
しかしながら、従来の撮影装置は、撮影者がレリーズ操作後、ズーミングが行われるため、適度なズーム動作を行わせることが難しく、撮影者が意図する画像を得にくいという欠点があった。
【０００５】
本発明は、このような事情に鑑みてなされたもので、簡単に効果的な露光間ズーム撮影を行うことができる撮影装置を提供することを目的とする。
【課題を解決するための手段】
【０００６】
請求項１に係る発明は、前記目的を達成するために、ズーム操作手段によってズーム操作されるズームレンズによって画像を撮影する撮影装置において、撮影モードを露光間ズーム撮影モードに設定するモード設定手段と、前記ズーム操作手段による前記ズームレンズのズーム操作を検出するズーム操作検出手段と、前記露光間ズーム撮影モードに設定されると、前記ズーム操作検出手段によるズーム操作の検出をトリガとして撮影を行う撮影制御手段と、を備えたことを特徴とする撮影装置を提供する。
【０００７】
請求項１に係る発明によれば、モード設定手段によって露光間ズーム撮影モードに設定されると、レリーズ機能がズーム操作手段に移行する。すなわち、ズーム操作手段によるズーム操作によって、撮影実行指令が出され、撮影が行われる。これにより、露光開始と同時にズーミングが行われ、簡単に効果的な露光間ズーム撮影を行うことができる。
【０００８】
請求項２に係る発明は、前記目的を達成するために、撮影準備の指示を入力する撮影準備指示入力手段と、前記撮影準備指示入力手段から入力される撮影準備の指示に応じて撮影準備を行う撮影準備制御手段と、を備え、前記撮影制御手段は、前記露光間ズーム撮影モードに設定されると、前記撮影準備制御手段による撮影準備後、前記ズーム操作検出手段によるズーム操作の検出をトリガとして撮影を行うことを特徴とする請求項１に記載の撮影装置を提供する。
【０００９】
請求項２に係る発明によれば、撮影準備指示入力手段と撮影準備制御手段を備えており、露光間ズーム撮影モードに設定されると、撮影準備制御手段による撮影準備後、レリーズ機能がズーム操作手段に移行する。
【００１０】
請求項３に係る発明は、前記目的を達成するために、前記ズームレンズをズーム駆動するズーム駆動手段と、前記ズーム駆動手段の駆動を制御する駆動制御手段と、を備え、前記駆動制御手段は、撮影前及び撮影中、前記ズーム操作手段によるズーム操作に応じて前記ズーム駆動手段の駆動を制御する一方、撮影が終了すると、前記ズーム駆動手段の駆動を強制的に停止することを特徴とする請求項１又は２に記載の撮影装置を提供する。
【００１１】
請求項３に係る発明によれば、ズーム操作手段によるズーム操作に応じてズームレンズが電気駆動される。そして、露光間ズーム撮影モードに設定された場合は、ズーム操作手段によるズーム操作をトリガとして撮影が開始される一方、撮影が終了すると、ズームレンズの駆動が強制的に停止される。すなわち、ズーム操作手段を操作しても、ズーム駆動が行われなくなる。これにより、無駄な電力の消費を抑えることができる。
【００１２】
請求項４に係る発明は、前記目的を達成するために、前記撮影装置は、撮像素子によって画像を撮影する撮影装置であって、表示手段と、撮影前に前記撮像素子から得られた画像を前記表示手段に表示させる表示制御手段と、を備えたことを特徴とする請求項１、２又は３に記載の撮影装置を提供する。
【００１３】
請求項４に係る発明によれば、画像を撮像素子によって撮影する場合において、撮像素子から得られた画像を表示するための表示手段が備えられている。これにより、画像を見ながら撮影することができ、意図する画像を簡単に撮影することができる。
【００１４】
請求項５に係る発明は、前記目的を達成するために、前記撮影装置は、ＣＣＤイメージセンサによって画像を撮影する撮影装置であって、前記ＣＣＤイメージセンサへの駆動電圧の印加を制御する駆動電圧制御手段を備え、該駆動電圧制御手段は、前記撮影準備制御手段による撮影準備後、読み出し開始までの間、前記ＣＣＤイメージセンサの垂直ＣＣＤに印加するプラス側電圧を所定量下げることを特徴とする請求項２に記載の撮影装置を提供する。
【００１５】
請求項５に係る発明によれば、ＣＣＤイメージセンサによって画像を撮影する場合において、撮影準備制御手段による撮影準備後、読み出し開始までの間、ＣＣＤイメージセンサの垂直ＣＣＤに印加するプラス側電圧が所定量下げられる。これにより、不要電荷の発生を抑えた状態で撮影の待機ができ、画質の劣化を効果的に抑えることができる。
【発明の効果】
【００１６】
本発明に係る撮影装置によれば、ズームレンズを用いて簡単に効果的な露光間ズーム撮影を行うことができる。
【発明を実施するための最良の形態】
【００１７】
以下、添付図面に従って本発明に係る撮影装置を実施するための最良の形態について詳説する。
【００１８】
図１、図２は、それぞれ本発明が適用された撮影装置の外観構成を示す正面斜視図と背面斜視図である。
【００１９】
同図に示すように、本実施の形態の撮影装置１０は、撮影素子によって画像を撮影するデジタルカメラであって、その撮影装置本体１２の正面には、撮影レンズ１４、ファインダ窓１６、ストロボ１８、マイク２０等が設けられており、上面には、シャッタボタン２２、電源／モードスイッチ２４、モードダイヤル２６等が設けられている。
【００２０】
また、撮影装置本体１２の背面には、ファインダ接眼部２８、液晶モニタ３０、ズームボタン３２、十字ボタン３４、ＭＥＮＵ／ＯＫボタン３６、ＤＩＳＰボタン３８、ＢＡＣＫボタン４０、スピーカ４２等が設けられており、右側面には、ＵＳＢ端子４４、電源端子４６、ＡＶ出力端子４８等が設けられている。
【００２１】
また、図示しない撮影装置本体１２の底面には、開閉自在なカバーが設けられており、このカバーの内側にバッテリを収納するためのバッテリ収納室と、メモリカードを装填するためのメモリカードスロットとが設けられている。
【００２２】
撮影レンズ１４は、沈胴式のズームレンズで構成されており、撮影装置１０の電源をＯＮすると、撮影装置本体１２から繰り出され、ＯＦＦすると、撮影装置本体１２に沈胴する。
【００２３】
シャッタボタン２２は、いわゆる「半押し」と「全押し」とからなる二段ストローク式のスイッチで構成されている。撮影装置１０は、このシャッタボタン２２の半押しで撮影準備、すなわち、ＡＥ（Automatic Exposure）／ＡＦ（Auto Focus）処理を行い、全押しで撮影処理を行う。
【００２４】
電源／モードスイッチ２４は、撮影装置１０の電源をＯＮ／ＯＦＦする電源スイッチとして機能するとともに、撮影装置１０のモードを設定するモードスイッチとして機能し、「ＯＦＦ位置」、「再生位置」、「撮影位置」の間をスライド自在に設けられている。撮影装置１０は、この電源／モードスイッチ２４を「再生位置」又は「撮影位置」に合わせることにより、電源がＯＮになり、「ＯＦＦ位置」に合わせることにより、電源がＯＦＦになる。また、電源／モードスイッチ２４を「再生位置」に合わせることにより「再生モード」に設定され、「撮影位置」に合わせることにより「撮影モード」に設定される。そして、撮影装置１０は「撮影モード」に設定されると、撮影が可能になり、「再生モード」に設定されると、記録済み画像の再生が可能になる。
【００２５】
モードダイヤル２６は、撮影装置１０の撮影モードを設定する撮影モード設定手段として機能し、一定の角度間隔で回動自在に設けられている。なお、ここでは設定可能な撮影モードとして、「オート撮影モード」、「プログラム撮影モード」、「シャッタスピード優先撮影モード」、「絞り優先撮影モード」、「マニュアル撮影モード」、「夜景撮影モード」、「スポーツ撮影モード」、「風景撮影モード」、「人物撮影モード」、及び、「露光間ズーム撮影モード」が用意されているものとし、モードダイヤル２６を「ＡＵＴＯ」位置に設定することにより「オート撮影モード」、「Ｐ」位置に設定することにより「プログラム撮影モード」、「Ｓ」位置に設定することにより「シャッタスピード優先撮影モード」、「Ａ」位置に設定することにより「絞り優先撮影モード」、「Ｍ」位置に設定することにより「マニュアル撮影モード」、「夜景」位置に設定することにより「夜景撮影モード」、「スポーツ」位置に設定することにより「スポーツ撮影モード」、「風景」位置に設定することにより「風景撮影モード」、「人物」位置に設定することにより「人物撮影モード」、「Ｚ」位置に設定することにより「露光間ズーム撮影モード」に設定されるものとする。
【００２６】
液晶モニタ３０は、カラー表示が可能な液晶ディスプレイで構成されている。この液晶モニタ２６は、撮影した画像の表示画面として利用されるとともに、各種設定時にユーザインターフェースとして利用される。また、必要に応じて撮影時にスルー画像が表示され、画角確認用の電子ファインダとして利用される。
【００２７】
ズームボタン３２は、望遠側へのズームを指示するズームテレボタン３２Ｔと、広角側へのズームを指示するズームワイドボタン３２Ｗとで構成され、このズームボタン３２が操作されることにより、撮影レンズ１４の焦点距離が変化する。
【００２８】
十字ボタン３４は、上下左右の４方向に押圧操作可能に設けられており、設定モードに応じた機能が割り当てられる。たとえば、再生モードに設定されている場合には、右ボタンがコマ送りボタンとして機能し、左ボタンがコマ戻しボタンとして機能する。また、撮影モードに設定されている場合には、右ボタンがストロボモードの切り換えボタンとして機能し、左ボタンがマクロモードの切り換えボタンとして機能する。
【００２９】
ＭＥＮＵ／ＯＫボタン３６は、各モードの通常画面からメニュー画面への遷移を指示するボタン（ＭＥＮＵボタン）として機能するとともに、選択内容の確定、処理の実行等を指示するボタン（ＯＫボタン）として機能する。
【００３０】
ＤＩＳＰボタン３８は、液晶モニタ３０の表示内容の切り替えを指示するボタンとして機能する。たとえば、撮影中、このＤＩＳＰボタン３８を押すと、液晶モニタ３０にスルー画像が表示され、再度押すと、スルー画像に重ねて絞り値、シャッタスピード等が表示される。そして、更に押すと、液晶モニタ３０の表示がＯＦＦされる。
【００３１】
ＢＡＣＫボタン４０は、入力操作のキャンセル等を指示するボタンとして機能する。
【００３２】
図３は、撮影装置の電気的構成を示すブロック図である。同図に示すように、撮影装置１０は、撮影レンズ１４、ＣＣＤイメージセンサ（ＣＣＤ）１１２、ＣＣＤドライバ１１４、タイミングジェネレータ（ＴＧ）１１６、アナログ信号処理部１１８、Ａ／Ｄ変換器１２０、画像入力制御部１２２、デジタル信号処理部１２４、表示制御部１２８、液晶モニタ３０、圧縮・伸張処理部１３２、記録制御部１３４、記憶メディア１３６、ＡＥ検出部１３８、ＡＦ検出部１４０、ＣＰＵ１４２、ＲＯＭ１４４、ＲＡＭ１４６、フラッシュＲＯＭ１４８、操作部（シャッタボタン２２、電源／モードスイッチ２４、モードダイヤル２６、ズームボタン３２、十字ボタン３４、ＭＥＮＵ／ＯＫボタン３６、ＤＩＳＰボタン３８、ＢＡＣＫボタン４０等）１５０、ストロボ制御部１５２、電源制御部１５４等で構成されている。
【００３３】
撮影装置１０の全体の動作は、ＣＰＵ１４２によって統括制御されており、ＣＰＵ１４２は、ＲＡＭ１４６を作業用メモリとして使用しながら、所定の制御プログラムに従って撮影装置１０の各部を制御する。ＲＯＭ１４４には、このＣＰＵ１４２が実行する制御プログラムの他、制御に必要な各種データが格納されている。また、フラッシュＲＯＭ１４８には、ユーザ設定情報等の書き換え可能な情報が格納されている。
【００３４】
撮影レンズ１４は、電動式のズームレンズで構成され、ズーミングを行うためのズームレンズ群１６０ｚと、フォーカシングを行うためのフォーカスレンズ群１６０ｆと、入射光量を調節する絞り１６０ｉと、遮光用のメカシャッタ１６０ｓを備えている。このズームレンズ群１６０ｚと、フォーカスレンズ群１６０ｆと、絞り１６０ｉと、メカシャッタ１６０ｓは、それぞれズームモータ１６２ｚ、フォーカスモータ１６２ｆ、アイリスモータ１６２ｉ、シャッタモータ１６２ｓに駆動されて作動する。すなわち、ズームレンズ群１６０ｚは、ズームモータ１６２ｚに駆動されて撮影光軸上を前後移動し、これにより、撮影レンズ１４の焦点距離が変化する。また、フォーカスレンズ１６０ｆは、フォーカスモータ１６２ｆに駆動されて撮影光軸上を前後移動し、これにより、撮影レンズ１４の焦点位置が変化する。また、絞り１６０ｉは、アイリスモータ１６２ｉに駆動されて開口量が段階的に変化し、これにより、ＣＣＤイメージセンサ１１４への入射光量（絞り値）が変化する。また、メカシャッタ１６０ｓは、シャッタモータ１６２ｓに駆動されて開閉し、これにより、ＣＣＤイメージセンサ１１２の露光／遮光が行われる。
【００３５】
ＣＰＵ１４２は、ズームモータドライバ１６４ｚ、フォーカスモータドライバ１６４ｆ、アイリスモータドライバ１６４ｉ、シャッタモータドライバ１６４ｓを介してズームモータ１６２ｚ、フォーカスモータ１６２ｆ、アイリスモータ１６２ｉ、シャッタモータ１６２ｓの駆動を制御し、ズームレンズ群１６０ｚ、フォーカスレンズ１６０ｆ、絞り１６０ｉ、メカシャッタ１６０ｓの動作を制御する。
【００３６】
撮影レンズ１４に入射した被写体光は、ズームレンズ群１６０ｚ、フォーカスレンズ１６０ｆ、絞り１６０ｉ、メカシャッタ１６０ｓを介してＣＣＤイメージセンサ１１２の受光面に入射する。
【００３７】
ＣＣＤイメージセンサ１１２の受光面には、多数のフォトダイオードが規則的に配列されており、受光面に入射した光は、各フォトダイオードによって入射光量に応じた量の信号電荷に変換される。
【００３８】
ＣＣＤイメージセンサ１１２の各フォトダイオードに蓄積された信号電荷は、ＣＣＤドライバ１１４から加えられる駆動パルスに従って読み出され、電圧信号（画像信号）としてＣＣＤイメージセンサ１１２から順次出力される。ＣＰＵ１４２は、タイミングジェネレータ（ＴＧ）１１６を介してＣＣＤドライバ１１４を制御し、ＣＣＤイメージセンサ１１２の駆動を制御する。
【００３９】
なお、ＣＣＤイメージセンサ１１２には、オーバーフロードレインが備えられており、このオーバーフロードレインに不要電荷を掃き出すことにより、電荷蓄積時間を制御する機能、いわゆる電子シャッタの機能が備えられている。
【００４０】
アナログ信号処理部１１８は、サンプリングホールド回路、色分離回路、ゲイン調整回路等を含み、ＣＣＤイメージセンサ１１２から順次出力される画像信号を相関二重サンプリング（ＣＤＳ）処理並びにＲＧＢの各色信号に色分離処理し、各色信号の信号レベルの調整（プリホワイトバランス処理）を行う。
【００４１】
Ａ／Ｄ変換器１２０は、このアナログ信号処理部１１８から出力されたアナログの画像信号をデジタルの画像信号に変換する。
【００４２】
なお、ＣＣＤドライバ１１４、アナログ信号処理部１１８、Ａ／Ｄ変換器１２０には、それぞれタイミングジェネレータ（ＴＧ）１１６からタイミングパルスが供給され、同期しながら動作する。
【００４３】
画像入力制御部１２２は、所定容量のバッファメモリを内蔵しており、ＣＰＵ１４２の制御の下、Ａ／Ｄ変換器１２０から出力された画像信号を１コマ分蓄積して、ＲＡＭ１４６に格納する。
【００４４】
デジタル信号処理部１２４は、同時化回路、ガンマ補正回路、輪郭補正回路、輝度・色差信号生成回路等を含み、ＣＰＵ１４２からの指令に従ってＲＡＭ１４６に格納された画像信号を処理し、輝度信号と色差信号とからなるＹＵＶ信号を生成する。
【００４５】
ＣＣＤイメージセンサ１１２で撮影された画像を液晶モニタ３０に表示させる場合は、デジタル信号処理部１２４で生成されたＹＵＶ信号を表示制御部１２８に加え、表示用の信号形式に変換して液晶モニタ３０に出力する。これにより、ＣＣＤイメージセンサ１１２で撮影された画像が液晶モニタ３０に表示される。
【００４６】
なお、スルー画像を液晶モニタ３０に表示させる場合は、ＣＣＤイメージセンサ１１２で連続的に画像を撮像し、得られた画像信号を連続的に処理して液晶モニタ３０に出力する。これにより、液晶モニタ３０にスルー画像が表示され、液晶モニタ３０を電子ファインダとして使用しながら撮影を行うことができるようになる。
【００４７】
また、画像を記録する場合は、デジタル信号処理部１２４で生成されたＹＵＶ信号を圧縮・伸張処理部１３２に加えて、所定の圧縮画像データ（たとえば、ＪＰＥＧ）としたのち、記録制御部１３４を介して記憶メディア（メモリカード）１３６に格納する。
【００４８】
記憶メディア１３６に格納された圧縮画像データは、再生指令に応じて記憶メディア１３６から読み出され、圧縮・伸張処理部１３２で非圧縮のＹＵＶ信号とされたのち、表示制御部１２８を介して液晶モニタ３０に出力される。これにより、記憶メディア１３６に記録された撮影済み画像が液晶モニタ３０に再生表示される。
【００４９】
ＡＥ検出部１３８は、ＣＰＵ１４２の指令に応じて動作し、ＣＣＤイメージセンサ１１２から出力された画像信号に基づいてＡＥ制御に必要な物理量を算出する。たとえば、ＣＣＤイメージセンサ１１２からアナログ信号処理部１１８、Ａ／Ｄ変換器１２０、画像入力制御部１２２を介して取り込んだ１コマ分の画像信号に対して１画面を複数のエリア（たとえば１６×１６）に分割し、分割したエリアごとにＲＧＢの画像信号の積算値を算出する。ＣＰＵ１４２は、このＡＥ検出部１３８で算出された積算値を取得し、被写体の明るさを検出して、測光値（ＥＶ値）を算出する。そして、求めたＥＶ値に基づいて撮影時の露出（感度、絞り、シャッタスピード）を設定する。
【００５０】
ＡＦ検出部１４０は、ＣＰＵ１４２の指令に応じて動作し、ＣＣＤイメージセンサ１１２から出力された画像信号に基づいてＡＦ制御に必要な物理量を算出する。たとえば、ＣＣＤイメージセンサ１１２からアナログ信号処理部１１８、Ａ／Ｄ変換器１２０、画像入力制御部１２２を介して取り込んだ１コマ分の画像信号から画像の鮮鋭度を示す焦点評価値を算出する。ＣＰＵ１４２は、至近から無限遠までフォーカスレンズ群１６０ｆを移動させながら、複数の検出ポイントでＡＦ検出部１４０から焦点評価値を取得し、取得した焦点評価値が最大となる位置を合焦位置として検出する。そして、合焦位置にフォーカスレンズ１６０ｆを移動させる。
【００５１】
ストロボ制御部１５２は、ＣＰＵ１４２の指令に応じてストロボ１８の発光を制御する。
【００５２】
電源制御部１５４は、ＣＰＵ１４２の指令に応じてバッテリ１５６から撮影装置各部への電力供給を制御する。
【００５３】
本実施の形態の撮影装置１０は以上のように構成される。
【００５４】
次に、本実施の形態の撮影装置１０における撮影時の処理動作について説明する。
【００５５】
上記のように、本実施の形態の撮影装置１０では、撮影モードとして、「オート撮影モード」、「プログラム撮影モード」、「シャッタスピード優先撮影モード」、「絞り優先撮影モード」、「マニュアル撮影モード」等の一般的な撮影モードに加えて、露光間ズーム撮影を行うための「露光間ズーム撮影モード」が用意されている。
【００５６】
まず、一般的な撮影モードとして「オート撮影モード」が選択された場合における撮影装置１０の処理動作について説明する。撮影モードの設定は、モードダイヤル２６によって行われる。
【００５７】
まず、シャッタボタン２２が半押しされると、操作部１５０からＣＰＵ１４２にＳ１オン信号が入力される。ＣＰＵ１４２は、このＳ１オン信号の入力に応動して撮影準備、すなわちＡＥ／ＡＦ制御を実行する。
【００５８】
すなわち、ＡＥ制御として、ＡＥ用の画像をＣＣＤイメージセンサ１１２で撮像し、アナログ信号処理部１１８、Ａ／Ｄ変換器１２０、画像入力コントローラ１２２を介してＡＥ検出部１３８に加える。ＡＥ検出部１３８は、入力された画像信号から積算値を算出し、ＣＰＵ１４２に出力する。ＣＰＵ１４２は、このＡＥ検出部１３８から得た積算値から被写体の明るさを検出し、ＥＶ値を算出する。そして、算出したＥＶ値に基づいて露出を設定する。
【００５９】
また、ＡＦ制御として、フォーカスレンズ１６０ｆを移動させながらＡＦ用の画像をＣＣＤイメージセンサ１１２で撮像し、アナログ信号処理部１１８、Ａ／Ｄ変換器１２０、画像入力制御部１２２を介してＡＦ検出部１４０に加える。ＡＦ検出部１４０は、入力された画像信号から焦点評価値を算出し、ＣＰＵ１４２に出力する。ＣＰＵ１４２は、このＡＦ検出部１４０から得た焦点評価値に基づいて合焦位置を検出し、検出した合焦位置にフォーカスレンズ１６０ｆを移動させる。
【００６０】
この後、シャッタボタン２２が全押しされると、操作部１５０からＣＰＵ１４２にＳ２オン信号が入力される。ＣＰＵ１４２は、このＳ２オン信号の入力に応動して、画像の撮影、記録処理を実行する。すなわち、記録用の画像をＣＣＤイメージセンサ１１２で撮像し、アナログ信号処理部１１８、Ａ／Ｄ変換器１２０、画像入力制御部１２２を介してＲＡＭ１４６に取り込む。そして、デジタル信号処理部２４に加えてＹＵＶ信号を作成する。作成されたＹＵＶ信号は、圧縮・伸張処理部１３２で圧縮処理され、記録制御部１３４を介して記憶メディア１３６に記録される。
【００６１】
以上一連の工程で画像が撮影され、撮影された画像が記憶メディア１３６に記録される。
【００６２】
なお、記憶メディア１３６に記録された画像は、操作部１５０から入力される再生指示に応じて記憶メディア１３６から読み出され、圧縮・伸張処理部１３２で伸張処理されたのち表示制御部１２８を介して液晶モニタ３０に出力される。これにより、記憶メディア１３６に記録された画像が液晶モニタ３０に再生表示される。
【００６３】
次に、撮影モードが「露光間ズーム撮影モード」に設定された場合の撮影装置１０の処理動作について説明する。
【００６４】
露光間ズーム撮影モードでは、撮影実行を指示する機能がシャッタボタン２２からズームボタン３２に移行する。すなわち、露光間ズーム撮影モードの下では、シャッタボタン２２を全押ししても、撮影は行われず、ズームボタン３２を操作することによって、撮影が行われる。
【００６５】
図４は、露光間ズーム撮影モード時における撮影装置１０の処理動作の手順を示すフローチャートである。
【００６６】
まず、ＣＰＵ１４２は、撮影モードが露光間ズーム撮影モードに設定されているか否か判定する（ステップＳ１０）。この判定は操作部１５０からの入力に基づいて行われ、露光間ズーム撮影モードに設定されていると判定すると、ＣＰＵ１４２は、所定の露光間ズーム撮影用の制御プログラムに従って以下の処理動作を実行する。
【００６７】
まず、操作部１５０からの入力に基づいてズーム操作が行われたか否かを判定する（ステップＳ１１）。ズーム操作が行われたと判定すると、ＣＰＵ１４２は、操作に応じてズームレンズ群１６０ｚを移動させ、撮影レンズ１４の焦点距離を変化させる（ステップＳ１２）。撮影者は、この操作によって撮影する画像の画角調整を行い、構図を決定する。
【００６８】
この後、ＣＰＵ１４２は、操作部１５０からの入力に基づいてシャッタボタン２２が半押しされたか否か（Ｓ１オン信号が入力されたか否か）を判定する（ステップＳ１３）。そして、シャッタボタン２２が半押しされたと判定すると（Ｓ１オン）、撮影準備を行う（ステップＳ１４）。すなわち、ＡＥ／ＡＦ制御を実行して、主要被写体にピントを合わせ、撮影時の露出（絞りとシャッタスピード）を決定する。
【００６９】
撮影準備後、ＣＰＵ１４２は、操作部１５０からの入力に基づいてシャッタボタン２２が全押しされたか否か（Ｓ２オン信号が入力されたか否か）判定する（ステップＳ１５）。そして、シャッタボタン２２が全押しされたと判定すると、露出及びピント合せが完了したものと判断し、レリーズ機能をズームボタン３２に移行する。すなわち、以後、ズームボタン３２が操作されると、撮影が行われるようにスタンバイする。
【００７０】
この後、ＣＰＵ１４２は、操作部１５０からの入力に基づいてシャッタボタン２２が半押しされたか否か（Ｓ１オン信号が入力されたか否か）を判定する（ステップＳ１６）。ここで、シャッタボタン２２が半押しされたと判定すると、撮影スタンバイ状態を解除し、ステップＳ１４に戻って、再度、撮影準備を行う。
【００７１】
一方、シャッタボタン２２が半押しされていないと判定すると、ＣＰＵ１４２は、操作部１５０からの入力に基づいてズーム操作が行われたか否かを判定する（ステップＳ１７）。
【００７２】
ここで、ズーム操作が行われていないと判定すると、ＣＰＵ１４２は、ステップＳ１３に戻り、再度シャッタボタン２２が半押しされたか否か判定する。そして、再度シャッタボタン２２が半押しされたと判定すると、撮影準備をやり直す。
【００７３】
一方、ズームボタン３２が押圧操作され、ズーム操作が行われたと判定すると、ＣＰＵ１４２は撮影処理を実行する。
【００７４】
すなわち、まず、シャッタモータ１６２ｓを駆動してメカシャッタ１６０ｓを開けるととともに（ステップＳ１８）、ズームモータ１６２を駆動してズームレンズ１６０ｚを移動させる（ステップＳ１９）。これにより、露光開始と同時に撮影レンズ１４がズーミングされる。
【００７５】
ＣＰＵ１４２は、設定されたシャッタスピードに相当する露光時間が経過したか否か判定する（ステップＳ２０）。そして、露光時間が経過したと判定すると、シャッタモータ１６２ｓを駆動してメカシャッタ１６０ｓを閉じる（ステップＳ２１）。これにより、露光が終了する。
【００７６】
この後、ＣＰＵ１４２は、ＣＣＤイメージセンサ１１２から画像信号を取り込み、所要の信号処理を施して、撮影により得られた画像を記憶メディア１３６に記録する（ステップＳ２２）。
【００７７】
以上説明したように、本実施の形態の撮影装置１０によれば、露光間ズーム撮影モードに設定すると、撮影実行を指示する機能がシャッタボタン２２からズームボタン３２に移行し、ズームボタン３２を操作すると、撮影が実行される。これにより、露光開始と同時にズーミングを行うことができ、簡単かつ確実に露光間ズーム撮影を行うことができる。
【００７８】
なお、上記実施の形態では、液晶モニタ３０にスルー画像を表示させずに撮影を行う場合を例に説明したが、スルー画像を表示させながら撮影することもできる。この場合の処理は、以下のように行われる。
【００７９】
図５は、スルー画像を表示させながら露光間ズーム撮影を行う場合の撮影装置１０の処理動作の手順を示すフローチャートである。
【００８０】
スルー画像の表示がオン設定されると、ＣＣＤイメージセンサ１１２で連続的に撮像された画像がスルー画像として液晶モニタ３０に表示される（ステップＳ３０）。撮影者は、この液晶モニタ３０の表示を見ながら画角を調整し、構図を調整する。
【００８１】
一方、ＣＰＵ１４２は、操作部１５０からの入力に基づいてズーム操作が行われたか否かを判定する（ステップＳ３１）。そして、ズーム操作が行われたと判定すると、操作に応じてズームレンズ群１６０ｚを移動させ、撮影レンズ１４の焦点距離を変化させる（ステップＳ３２）。
【００８２】
この後、ＣＰＵ１４２は、操作部１５０からの入力に基づいてシャッタボタン２２が半押しされたか否か（Ｓ１オン信号が入力されたか否か）を判定する（ステップＳ３３）。そして、シャッタボタン２２が半押しされたと判定すると（Ｓ１オン）、撮影準備を行う（ステップＳ３４）。すなわち、ＡＥ／ＡＦ制御を実行して、主要被写体にピントを合わせ、撮影時の露出（絞りとシャッタスピード）を決定する。
【００８３】
撮影準備が完了すると、ＣＰＵ１４２は操作部１５０からの入力に基づいてシャッタボタン２２が全押しされたか否か（Ｓ２オン信号が入力されたか否か）を判定する（ステップＳ３５）。そして、シャッタボタン２２が全押しされたと判定すると、露出及びピント合せが完了したものと判断し、再度、液晶モニタ３０にスルー画像を表示させ（ステップＳ３６）、レリーズ機能をズームボタン３２に移行する。すなわち、以後、ズームボタン３２が操作されると、撮影が行われるようにスタンバイする。
【００８４】
この後、ＣＰＵ１４２は、操作部１５０からの入力に基づいてシャッタボタン２２が半押しされたか否か（Ｓ１オン信号が入力されたか否か）を判定する（ステップＳ３７）。ここで、シャッタボタン２２が半押しされたと判定すると、撮影スタンバイ状態を解除し、ステップＳ３４に戻って、再度、撮影準備を行う。
【００８５】
一方、シャッタボタン２２が半押しされていないと判定すると、ＣＰＵ１４２は、操作部１５０からの入力に基づいてズーム操作が行われたか否かを判定する（ステップＳ３８）。
【００８６】
ここで、ズーム操作が行われていないと判定すると、ＣＰＵ１４２は、ステップＳ３３に戻り、再度シャッタボタン２２が半押しされたか否か判定する。そして、再度シャッタボタン２２が半押しされたと判定すると、撮影準備をやり直す。
【００８７】
一方、ズームボタン３２が押圧操作され、ズーム操作が行われたと判定すると、ＣＰＵ１４２は撮影処理を実行する。
【００８８】
すなわち、ＣＣＤドライバ１１４を駆動してＣＣＤイメージセンサ１１２の電子シャッタを動作させ、露光を開始させる（ステップＳ３９）。これと同時にズームモータ１６２を駆動してズームレンズ１６０ｚを移動させる（ステップＳ４０）。これにより、露光開始と同時に撮影レンズ１４がズーミングされる。
【００８９】
ＣＰＵ１４２は、設定されたシャッタスピードに相当する露光時間が経過したか否か判定する（ステップＳ４１）。そして、露光時間が経過したと判定すると、シャッタモータ１６２ｓを駆動してメカシャッタ１６０ｓを閉じる（ステップＳ４２）。これにより、露光が終了する。
【００９０】
この後、ＣＰＵ１４２は、ＣＣＤイメージセンサ１１２から画像信号を取り込み、所要の信号処理を施して、撮影により得られた画像を記憶メディア１３６に記録する（ステップＳ４３）。
【００９１】
このように、本実施の形態の撮影装置１０では、液晶モニタ３０にスルー画像を表示させながら撮影を行うこともできる。そして、このように液晶モニタ３０にスルー画像を表示させながら撮影することにより、撮影画像を確認しながら適切なタイミングでシャッタを切ることができ、撮影者の意図する画像を簡単に撮影することができるようになる。
【００９２】
なお、スルー画像の表示をオフ設定した場合には、画像を確認しながらの撮影はできないが、メカシャッタ１６０ｓによって露光の開始時点を規定できるため、シャッタタイムラグを無くすことができるという利点がある。すなわち、図６（ａ）に示すように、スルー画像の表示をオン設定した場合、ＣＣＤイメージセンサ１１２の電子シャッタ機能によって露光時間が制御されるため、シャッタタイムラグが生じうるが、図６（ｂ）に示すように、スルー画像の表示をオフ設定した場合には、メカシャッタ１６０ｓで露出時間を制御できるため、ズーム操作の検出後、直ちに露光を開始することができ、シャッタタイムラグを無くすことができる。これにより、シャッタチャンスを逃さず、瞬間を切り取った画像を得ることができる。
【００９３】
なお、スルー画像の表示は、完全にオフにしてもよいし、また、撮影スタンバイ状態に入るまではオンにし、撮影スタンバイ状態に入ってからオフにするようにしてもよい。
【００９４】
また、スルー画像のオン・オフの設定は、たとえばＤＩＳＰボタン３８によって行うものとし、ＤＩＳＰボタン３８を押下するたびに、スルー画像の表示モードが切り替わるように設定する。この他、メニュー画面等で設定するようにしてもよい。
【００９５】
また、スルー画像の表示をオフ設定した場合には、図７に示すように、撮影準備後、ＣＣＤイメージセンサ１１２の垂直ＣＣＤに印加するプラス側電圧を所定量下げて待機することが好ましい。これにより、余分な電荷の発生を抑えることができ、良好な画質の画像を撮影することができる。
【００９６】
図８は、露光間ズーム撮影を行う場合において、垂直ＣＣＤに印加するプラス側電圧を下げて待機する場合の撮影装置１０の処理動作の手順を示すフローチャートである。
【００９７】
撮影モードが露光間ズーム撮影モードに設定されると、ＣＰＵ１４２は、まず、操作部１５０からの入力に基づいてズーム操作が行われたか否かを判定する（ステップＳ５０）。ズーム操作が行われたと判定すると、ＣＰＵ１４２は、操作に応じてズームレンズ群１６０ｚを移動させ、撮影レンズ１４の焦点距離を変化させる（ステップＳ５１）。撮影者は、この操作によって撮影する画像の画角調整を行い、構図を決定する。
【００９８】
この後、ＣＰＵ１４２は、操作部１５０からの入力に基づいてシャッタボタン２２が半押しされたか否か（Ｓ１オン信号が入力されたか否か）を判定する（ステップＳ５２）。そして、シャッタボタン２２が半押しされたと判定すると（Ｓ１オン）、撮影準備を行う（ステップＳ５３）。すなわち、ＡＥ／ＡＦ制御を実行して、主要被写体にピントを合わせ、撮影時の露出（絞りとシャッタスピード）を決定する。
【００９９】
撮影準備が完了すると、ＣＰＵ１４２は操作部１５０からの入力に基づいてシャッタボタン２２が全押しされたか否か（Ｓ２オン信号が入力されたか否か）を判定する（ステップＳ５４）。そして、シャッタボタン２２が全押しされたと判定すると、露出及びピント合せが完了したものと判断し、レリーズ機能をズームボタン３２に移行するとともに、ＣＣＤイメージセンサ１１２の垂直ＣＣＤに印加するプラス側電圧を正常値から所定量下げる（ステップＳ５５）。なお、一般に垂直ＣＣＤに印加するプラス側電圧の正常値は１０Ｖ〜１２Ｖなので、たとえば、５Ｖ〜７Ｖ程度下げて、５Ｖ程度とする。
【０１００】
この後、ＣＰＵ１４２は、操作部１５０からの入力に基づいてズーム操作が行われたか否かを判定する（ステップＳ５６）。
【０１０１】
ここで、ズーム操作が行われていないと判定すると、ＣＰＵ１４２は、ステップＳ５２に戻り、再度シャッタボタン２２が半押しされたか否か判定する。そして、再度シャッタボタン２２が半押しされたと判定すると、撮影準備をやり直す。
【０１０２】
一方、ズームボタン３２が押圧操作され、ズーム操作が行われたと判定すると、ＣＰＵ１４２は撮影処理を実行する。
【０１０３】
すなわち、まず、シャッタモータ１６２ｓを駆動してメカシャッタ１６０ｓを開けるととともに（ステップＳ５７）、ズームモータ１６２を駆動してズームレンズ１６０ｚを移動させる（ステップＳ５８）。これにより、露光開始と同時に撮影レンズ１４がズーミングされる。
【０１０４】
ＣＰＵ１４２は、設定されたシャッタスピードに相当する露光時間が経過したか否か判定する（ステップＳ５９）。そして、露光時間が経過したと判定すると、シャッタモータ１６２ｓを駆動してメカシャッタ１６０ｓを閉じる（ステップＳ６０）。これにより、露光が終了する。
【０１０５】
この後、ＣＰＵ１４２は、ＣＣＤイメージセンサ１１２の垂直ＣＣＤに印加するプラス側電圧を正常値に戻す（ステップＳ６１）。そして、ＣＣＤイメージセンサ１１２から画像信号を取り込み、所要の信号処理を施して、撮影により得られた画像を記憶メディア１３６に記録する（ステップＳ６２）。
【０１０６】
以上説明したように、撮影準備後、ＣＣＤイメージセンサ１１２の垂直ＣＣＤに印加するプラス側電圧を正常値から所定量下げることにより、ＣＣＤイメージセンサ１１２の受光面内で余分な電荷が発生するのを抑えることができ、良好な撮影画像を得ることができる。
【０１０７】
なお、本実施の形態の撮影装置１０では、ズームボタン３２のズーム操作に連動して撮影レンズ１４のズーミングが行われ、露光中でもズームボタン３２を押している限りズーミングが行われるが、図９に示すように、露光終了後は、強制的にズーミングを停止させることが好ましい。すなわち、露光が終了した場合は、ズームボタン３２が押されていても、強制的にズームモータ１６２ｚの駆動を停止させる。これにより、無駄な電力消費を抑えることができ、バッテリ寿命を延ばすことができる。
【０１０８】
なお、この場合において、ズームモータ１６２ｚの駆動を停止させるタイミングは、図９（ａ）に示すように、メカシャッタ１６０ｓの閉動作に同期させて、駆動を停止させてもよいし（シャッタドライバ１６４ｓに印加するシャッタ閉パルスに同期して駆動を停止）、図９（ｂ）に示すように、メカシャッタ１６０ｓが閉じた後に駆動を停止させてもよい（シャッタドライバ１６４ｓに印加するシャッタ閉パルスが完全に出力された後に駆動を停止）。
【０１０９】
また、本実施の形態の撮影装置１０では、撮影レンズ１４が電動式のズームレンズで構成されているが、ズーム操作を手動で行う手動式のズームレンズで構成してもよい。手動式のズームレンズは、たとえば、レンズ鏡筒の外周に設けられたズームリングを周方向に回転、又は、光軸方向に前後移動させることにより、ズーミングが行われる。したがって、このズームリングの回転又は移動を検出する手段を設け、この検出手段でズームリングの回転又は移動を検出して、ズーム操作を検出する。又は、ズームレンズ群の移動を検出する手段を設け、この検出手段でズームレンズ群の移動を検出して、ズーム操作を検出する。あるいは、ズームレンズ群の位置（ズームポジション）を検出する手段を設け、この検出手段でズームレンズ群の位置（焦点距離）を検出して、ズーム操作を検出する。
【０１１０】
また、本実施の形態では、ＣＣＤイメージセンサを用いたデジタルカメラに本発明を適用した場合を例に説明したが、本発明の適用は、これに限定されるものではない。フィルムを用いたフィルムカメラにも同様に適用することができ、また、ズームレンズが組み込まれたカメラ付き携帯電話等にも同様に適用することができる。
【０１１１】
また、本実施の形態の撮影装置は、撮像素子としてＣＣＤイメージセンサを用いているが、撮像素子は、これに限定されるものではなく、ＣＭＯＳ等の撮像素子を用いてもよい。
【０１１２】
なお、露光間ズーム撮影時における露出の設定方法は、特に限定されないが、露光間ズーム撮影は、シャッタ速度が遅くなる程、効果が上がるので、露光間ズーム撮影モードに設定された場合には、シャッタ速度が遅くなるように露出を設定することが好ましい。たとえば、シャッタ速度が遅くなるように設定されたプログラム線図を用意し、露光間ズーム撮影モードに設定された場合は、このプログラム線図に従って露出設定を行うようにする。これにより、より効果的な露光間ズーム撮影を行うことができる。
【０１１３】
また、本実施の形態では、撮影準備として、ＡＥ／ＡＦ制御を行っているが、ＡＥ機能のみを備えた撮影装置の場合、あるいは、フォーカシングをマニュアル設定した場合には、撮影準備としてＡＥ制御のみ行うようにする。また、ＡＦ機能のみを備えた撮影装置の場合、あるいは、露出をマニュアル設定した場合には、撮影準備としてＡＦ制御のみを行うようにする。なお、ＡＥ／ＡＦのいずれの機能も備えていない場合、あるいは、露出及びフォーカシングをマニュアル設定した場合には、撮影準備は行わず、シャッタボタン２２の半押しをもって撮影準備の完了とする。すなわち、以後、ズームレンズのズーム操作で撮影が行われるようにする。
【０１１４】
また、本実施の形態では、シャッタボタン２２の半押し後、更にシャッタボタン２２を全押しすると、レリーズ機能がズームボタン３２に移行するようにしているが、シャッタボタン２２の半押し後、ただちにレリーズ機能をズームボタン３２に移行するようにしてもよい。
【０１１５】
さらに、シャッタボタン２２が全押しされると、撮影準備が行われるようにしてもよいし、半押し又は全押しされると、撮影準備が行われるようにしてもよい。
【０１１６】
また、本実施の形態では、露光間ズーム撮影時におけるズーミングの速度を特に規定していないが、ズーミングの速度を撮影者が任意に設定できるようにしてもよい。
【図面の簡単な説明】
【０１１７】
【図１】撮影装置の外観構成を示す正面斜視図
【図２】撮影装置の外観構成を示す背面斜視図
【図３】撮影装置の電気的構成を示すブロック図
【図４】露光間ズーム撮影モード時における撮影装置の処理動作の手順を示すフローチャート
【図５】スルー画像を表示させながら露光間ズーム撮影を行う場合の撮影装置の処理動作の手順を示すフローチャート
【図６】露光間ズーム撮影モード時における撮影装置の処理動作のタイミングチャート
【図７】露光間ズーム撮影モード時における撮影装置の処理動作のタイミングチャート
【図８】垂直ＣＣＤに印加するプラス側電圧を下げて待機する場合の撮影装置の処理動作の手順を示すフローチャート
【図９】露光間ズーム撮影モード時における撮影装置の処理動作のタイミングチャート
【符号の説明】
【０１１８】
１０…撮影装置、１２…撮影装置本体、１４…撮影レンズ、２２…シャッタボタン、２４…電源／モードスイッチ、２６…モードダイヤル、３０…液晶モニタ、３２…ズームボタン、３２Ｔ…ズームテレボタン、３２Ｗ…ズームワイドボタン、３８…ＤＩＳＰボタン、１１２…ＣＣＤイメージセンサ（ＣＣＤ）、１１４…ＣＣＤドライバ、１１６…タイミングジェネレータ（ＴＧ）、１１８…アナログ信号処理部、１２０…Ａ／Ｄ変換器、１２２…画像入力制御部、１２４…デジタル信号処理部、１２８…表示制御部、１３４…記録制御部、１３６…記憶メディア、１３８…ＡＥ検出部、１４０…ＡＦ検出部、１４２…ＣＰＵ、１４４…ＲＯＭ、１４６…ＲＡＭ、１５０…操作部、１６０ｚ…ズームレンズ群、１６０ｆ…フォーカスレンズ群、１６０ｉ…絞り、１６０ｓ…メカシャッタ、１６２ｚ…ズームモータ、１６２ｓ…シャッタモータ、１６４ｚ…ズームモータドライバ、１６４ｓ…シャッタモータドライバ
【図１】
2007096455.tif 000003
【図２】
2007096455.tif 000004
【図３】
2007096455.tif 000005
【図４】
2007096455.tif 000006
【図５】
2007096455.tif 000007
【図６】
2007096455.tif 000008
【図７】
2007096455.tif 000009
【図８】
2007096455.tif 000010
【図９】
2007096455.tif 000011